(57)【要約】      （修正有）【課題】物理下りリンク制御チャネルにチャネル測定用の参照信号の送信指示を１ビットで制御することにおけるチャネル測定精度の劣化を防止する。【解決手段】無線通信システムは、基地局装置と移動局装置とが無線通信を行う無線通信システムであって、前記基地局装置は、所定のコードポイントである第１の制御情報と物理下りリンク制御チャネルに含まれている制御情報の構成パターンの切り替えを示す第２の制御情報とを物理下りリンク制御チャネルに含めて前記移動局装置に送信し、前記移動局装置は、第１の制御情報が所定のコードポイントである場合、前記物理下りリンク制御チャネルに前記第２の制御情報が含まれていると認識する。【選択図】図３
2011211323.tif 000002
【特許請求の範囲】
【請求項１】
基地局装置と移動局装置とが無線通信を行う無線通信システムであって、
前記基地局装置は、
所定のコードポイントである第１の制御情報と物理下りリンク制御チャネルに含まれている制御情報の構成パターンの切り替えを示す第２の制御情報を含む物理下りリンク制御チャネルを前記移動局装置に送信し、
前記移動局装置は、
前記物理下りリンク制御チャネルに含まれている第１の制御情報が所定のコードポイントである場合、前記第２の制御情報が含まれていると認識する
ことを特徴とする無線通信システム。
【請求項２】
前記基地局装置は、
前記第２の制御情報を所定のコードポイントにセットし、
前記物理下りリンク制御チャネルにチャネル測定用の参照信号の送信を指示する第３の制御情報を含め、
前記移動局装置は、
前記第２の制御情報が所定のコードポイントである場合、前記物理下りリンク制御チャネルに前記第３の制御情報が含まれていると認識する
ことを特徴とする請求項１に記載の無線通信システム。
【請求項３】
前記基地局装置は、
前記物理リンク下りリンク制御チャネルに前記参照信号の設定情報を含め、
前記移動局装置は、
前記物理下りリンク制御チャネルに前記設定情報が含まれていると認識する
ことを特徴とする請求項２に記載の無線通信システム。
【請求項４】
移動局装置と無線通信を行う基地局装置であって、
所定のコードポイントである第１の制御情報と物理下りリンク制御チャネルに含まれている制御情報の構成パターンの切り替えを示す第２の制御情報を含む物理下りリンク制御チャネルとを前記移動局装置に送信する手段を少なくとも有する
ことを特徴とする基地局装置。
【請求項５】
前記基地局装置は、
前記第２の制御情報を所定のコードポイントにセットする手段と、
前記物理下りリンク制御チャネルにチャネル測定用の参照信号の送信を指示する第３の制御情報を含める手段と、を少なくとも有する
ことを特徴とする請求項４に記載の基地局装置。
【請求項６】
前記基地局装置は、
前記物理リンク下りリンク制御チャネルに前記参照信号の設定情報を含める手段を少なくとも有する
ことを特徴とする請求項５に記載の基地局装置。
【請求項７】
基地局装置と無線通信を行う移動局装置であって、
物理下りリンク制御チャネルに含まれている第１の制御情報が所定のコードポイントである場合、前記物理下りリンク制御チャネルに前記物理下りリンク制御チャネルに含まれている制御情報の構成パターンの切り替えを示す第２の制御情報が含まれていると認識する手段を少なくとも有する
ことを特徴とする移動局装置。
【請求項８】
前記移動局装置は、
前記第２の制御情報が所定のコードポイントである場合、前記物理下りリンク制御チャネルに前記参照信号の送信を指示する第３の制御情報が含まれていると認識する手段を少なくとも有する
ことを特徴とする請求項７に記載の移動局装置。
【請求項９】
前記移動局装置は、
前記物理下りリンク制御チャネルに前記参照信号の設定情報が含まれていると認識する手段を少なくとも有する
ことを特徴とする請求項８に記載の移動局装置。
【請求項１０】
基地局装置と移動局装置とが無線通信を行う無線通信方法であって、
前記基地局装置において、
所定のコードポイントである第１の制御情報と物理下りリンク制御チャネルに含まれている制御情報の構成パターンの切り替えを示す第２の制御情報を含む物理下りリンク制御チャネルを前記移動局装置に送信するステップと、
前記移動局装置において、
前記物理下りリンク制御チャネルに含まれている第１の制御情報からコードポイントを検出するステップと、
前記コードポイントが所定のコードポイントである場合、前記物理下りリンク制御チャネルに前記第２の制御情報が含まれていると認識するステップと、を少なくとも含む
ことを特徴とする無線通信方法。
【請求項１１】
前記基地局装置は、
前記第２の制御情報を所定のコードポイントにセットするステップと、
前記物理下りリンク制御チャネルにチャネル測定用の参照信号の送信を指示する第３の制御情報を含めるステップと、
前記移動局装置は、
前記第２の制御情報が所定のコードポイントである場合、前記物理下りリンク制御チャネルに前記第３の制御情報が含まれていると認識するステップと、を少なくとも含む
ことを特徴とする請求項１０に記載の無線通信方法。
【請求項１２】
前記基地局装置は、
前記物理リンク下りリンク制御チャネルに前記参照信号の設定情報を含めるステップと、
前記移動局装置は、前記物理下りリンク制御チャネルに前記参照信号の設定情報が含まれていると認識するステップと、を少なくとも含む
ことを特徴とする請求項１１に記載の無線通信方法。
【請求項１３】
基地局装置に実装されることにより、前記基地局装置に複数の機能を発揮させる集積回路であって、
所定のコードポイントである第１の制御情報と物理下りリンク制御チャネルに含まれている制御情報の構成パターンの切り替えを示す第２の制御情報を含む物理下りリンク制御チャネルを移動局装置に送信する機能を前記基地局装置に発揮させる
ことを特徴とする集積回路。
【請求項１４】
前記基地局装置において、
前記第２の制御情報を所定のコードポイントにセットする機能と、
前記物理下りリンク制御チャネルにチャネル測定用の参照信号の送信を指示する第３の制御情報を含める機能と、を前記基地局装置に発揮させる
ことを特徴とする請求項１３に記載の集積回路。
【請求項１５】
前記基地局装置において、
前記物理リンク下りリンク制御チャネルに前記参照信号の設定情報を含める機能を前記基地局装置に発揮させる
ことを特徴とする請求項１４に記載の集積回路。
【請求項１６】
移動局装置に実装されることにより、前記移動局装置に複数の機能を発揮させる集積回路であって、
物理下りリンク制御チャネルに含まれている第１の制御情報のコードポイントを検出する機能と、
前記コードポイントが所定のコードポイントである場合、前記物理下りリンク制御チャネルに前記物理下りリンク制御チャネルに含まれている制御情報の構成パターンの切り替えを示す第２の制御情報が含まれていると認識する機能と、を前記移動局装置に発揮させる
ことを特徴とする集積回路。
【請求項１７】
前記移動局装置において、
前記第２の制御情報が所定のコードポイントである場合、前記物理下りリンク制御チャネルに前記参照信号の送信を指示する第３の制御情報が含まれていると認識する機能を前記移動局装置に発揮させる
ことを特徴とする請求項１６に記載の集積回路。
【請求項１８】
前記移動局装置において、
前記物理下りリンク制御チャネルに前記参照信号の設定情報が含まれていると認識する機能を前記移動局装置に発揮させる
ことを特徴とする請求項１７に記載の集積回路。
【発明の詳細な説明】
【技術分野】
【０００１】
本発明は、移動局装置と基地局装置から構成される無線通信システムに関し、特に、移動局装置のチャネル測定用の参照信号の送信制御方法に関する。
【背景技術】
【０００２】
従来から、セルラー移動通信の無線アクセス方式および無線ネットワークの進化（以下、「Long Term Evolution (LTE)」、または、「Evolved Universal Terrestrial Radio Access (EUTRA)」と称する。）、および、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が、第三世代パートナーシッププロジェクト（3rd Generation Partnership Project; 3GPP）において検討されている。
【０００３】
ＬＴＥ−Ａでは、基地局装置から送信要求が通知された時だけ送信するチャネル測定用の第１の参照信号（A-SRS: Aperiodic Sounding Reference Signal）と基地局装置が予め設定した周期的なタイミングで送信されるチャネル測定用の第２の参照信号（P-SRS: Periodic Sounding Reference Signal）が提案されている。Ａ−ＳＲＳの送信指示情報を物理下りリンク制御チャネル（PDCCH: Physical Downlink Control Channel）に含めることで、移動局装置は、基地局装置がＡ−ＳＲＳの送信を要求しているか否かを１ビットで判断することができ、ダイナミックにＡ−ＳＲＳの送信制御を行うことができる。また、Ｐ−ＳＲＳは無線リソース制御信号（Radio Resource Control Signaling）を用いて準静的にＳＲＳの送信制御を行うことができる（非特許文献１）。
【先行技術文献】
【非特許文献】
【０００４】
【非特許文献１】“SRS Enhancements in Rel-10”, R1-101189, 3GPP TSG-RAN1 Meeting#60, San Francisco, USA, Feb 22 - 26, 2010
【発明の概要】
【発明が解決しようとする課題】
【０００５】
しかしながら、従来技術において、無線リソース制御信号を用いたＳＲＳの送信制御では、ダイナミックにＳＲＳの送信帯域幅や送信周期などのパラメータを変更してＳＲＳを送信することはできず、また、ＰＤＣＣＨに１ビットのＳＲＳ送信指示情報を含めてＳＲＳの送信情報を示すことは、移動局装置におけるＳＲＳ送信指示情報の誤検出（False detection）を増大させる。移動局装置がＳＲＳの送信情報を誤検出して、基地局装置が送信要求を行っていないにもかかわらず、ＳＲＳを送信することは、他の移動局装置から送信されるＳＲＳへの干渉を増大させ、基地局装置は、正確なチャネル測定を行うことができなくなり、最適な周波数選択スケジューリングを行うことができないため、効率的な通信を行うことができなくなる。
【０００６】
本発明は、上記の点を鑑みてなされたものであり、基地局装置からＳＲＳの送信要求があった場合に、チャネル測定用の参照信号を送信するか否かをより正確に判断し、チャネル測定精度を向上させることのできる移動局装置、基地局装置および無線通信システムを提供することを目的とする。
【課題を解決するための手段】
【０００７】
（１）上記の目的を達成するために、本発明は、以下のような手段を講じた。すなわち、本発明の無線通信システムは、基地局装置と移動局装置とが無線通信を行う無線通信システムであって、前記基地局装置は、所定のコードポイントである第１の制御情報と物理下りリンク制御チャネルに含まれている制御情報の構成パターンの切り替えを示す第２の制御情報を含む物理下りリンク制御チャネルを前記移動局装置に送信し、前記移動局装置は、前記物理下りリンク制御チャネルに含まれている第１の制御情報が所定のコードポイントである場合、前記第２の制御情報が含まれていると認識することを特徴とする。
【０００８】
このように、基地局装置が所定のコードポイントの第１の制御情報と第２の制御情報を物理下りリンク制御チャネルに含めることにより、移動局装置が第１の制御情報から所定のコードポイントを検出することで、物理下りリンク制御チャネルに第２の制御情報が含まれていると認識することができる。
【０００９】
（２）本発明の無線通信システムは、前記基地局装置において、前記第２の制御情報を所定のコードポイントにセットし、前記物理下りリンク制御チャネルにチャネル測定用の参照信号の送信を指示する第３の制御情報を含め、前記移動局装置において、前記第２の制御情報が所定のコードポイントである場合、前記物理下りリンク制御チャネルに前記第３の制御情報が含まれていると認識することを特徴とする。
【００１０】
このように、基地局装置は、第２の制御情報を所定のコードポイントにセットし、物理下りリンク制御チャネルにチャネル測定用の参照信号の送信指示情報（第３の制御情報）を含めることで、移動局装置に、より確実にチャネル測定用の参照信号の送信指示情報が物理下りリンク制御チャネルに含まれていることを認識させることができる。そのため、移動局装置は、参照信号の送信要求の誤検出を低減し、参照信号の誤検出による参照信号の誤送信を低減することで他の移動局装置から送信される参照信号への干渉を低減できるため、基地局装置におけるチャネル測定精度を向上させることができる。
【００１１】
（３）本発明の無線通信システムは、前記基地局装置において、前記物理リンク下りリンク制御チャネルに前記参照信号の設定情報を含め、前記移動局装置において、前記物理下りリンク制御チャネルに前記設定情報が含まれていると認識することを特徴とする。
【００１２】
このように、基地局装置は、チャネル測定用の参照信号の設定情報を物理下りリンク制御チャネルに含めて移動局装置に送信することで、移動局装置は、ダイナミックにチャネル測定用の参照信号のパラメータを変更することができ、無線リソースを有効に利用することができるため、通信状況に合わせた効率的な通信を行うことができる。
【００１３】
（４）本発明の基地局装置は、移動局装置と無線通信を行う基地局装置であって、所定のコードポイントである第１の制御情報と物理下りリンク制御チャネルに含まれている制御情報の構成パターンの切り替えを示す第２の制御情報を含む物理下りリンク制御チャネルとを前記移動局装置に送信する手段を少なくとも有することを特徴とする。
【００１４】
（５）本発明の基地局装置は、前記第２の制御情報を所定のコードポイントにセットする手段と、前記物理下りリンク制御チャネルにチャネル測定用の参照信号の送信を指示する第３の制御情報を含める手段と、を少なくとも有することを特徴とする。
【００１５】
（６）本発明の基地局装置は、前記物理リンク下りリンク制御チャネルに前記参照信号の設定情報を含める手段を少なくとも有することを特徴とする。
【００１６】
このように、本発明の基地局装置は、第１の制御情報と第２の制御情報とに所定のコードポイントでセットすることで、移動局装置に対して物理下りリンク制御チャネルに第３の制御情報が含まれていると認識させることができる。
【００１７】
（７）本発明の移動局装置は、基地局装置と無線通信を行う移動局装置であって、物理下りリンク制御チャネルに含まれている第１の制御情報が所定のコードポイントである場合、前記物理下りリンク制御チャネルに前記物理下りリンク制御チャネルに含まれている制御情報の構成パターンの切り替えを示す第２の制御情報が含まれていると認識する手段を少なくとも有することを特徴とする。
【００１８】
（８）本発明の移動局装置は、前記第２の制御情報が所定のコードポイントである場合、前記物理下りリンク制御チャネルに前記参照信号の送信を指示する第３の制御情報が含まれていると認識する手段を少なくとも有することを特徴とする。
【００１９】
（９）本発明の移動局装置は、前記物理下りリンク制御チャネルに前記参照信号の設定情報が含まれていると認識する手段を少なくとも有することを特徴とする。
【００２０】
このように、本発明の移動局装置は、第１の制御情報と第２の制御情報とが所定のコードポイントである場合、物理下りリンク制御チャネルに第３の制御情報が含まれていると認識することができる。
【００２１】
（１０）本発明の無線通信方法は、基地局装置と移動局装置とが無線通信を行う無線通信方法であって、前記基地局装置において、所定のコードポイントである第１の制御情報と物理下りリンク制御チャネルに含まれている制御情報の構成パターンの切り替えを示す第２の制御情報を含む物理下りリンク制御チャネルを前記移動局装置に送信するステップと、前記移動局装置において、前記物理下りリンク制御チャネルに含まれている第１の制御情報からコードポイントを検出するステップと、前記コードポイントが所定のコードポイントである場合、前記物理下りリンク制御チャネルに前記第２の制御情報が含まれていると認識するステップと、を少なくとも含むことを特徴とする。
【００２２】
（１１）本発明の無線通信方法は、前記基地局装置において、前記第２の制御情報を所定のコードポイントにセットするステップと、前記物理下りリンク制御チャネルにチャネル測定用の参照信号の送信を指示する第３の制御情報を含めるステップと、前記移動局装置において、前記第２の制御情報が所定のコードポイントである場合、前記物理下りリンク制御チャネルに前記第３の制御情報が含まれていると認識するステップと、を少なくとも含むことを特徴とする。
【００２３】
（１２）本発明の無線通信方法は、前記基地局装置において、前記物理リンク下りリンク制御チャネルに前記参照信号の設定情報を含めるステップと、前記移動局装置は、前記物理下りリンク制御チャネルに前記参照信号の設定情報が含まれていると認識するステップと、を少なくとも含むことを特徴とする。
【００２４】
このように、本発明の無線通信方法は、基地局装置において、第１の制御情報と第２の制御情報とに所定のコードポイントをセットし、移動局装置において、第１の制御情報と第２の制御情報とが所定のコードポイントである場合、物理下りリンク制御チャネルに第３の制御情報が含まれていると認識することができる。
【００２５】
（１３）本発明の基地局装置の集積回路は、基地局装置に実装されることにより、前記基地局装置に複数の機能を発揮させる集積回路であって、所定のコードポイントである第１の制御情報と物理下りリンク制御チャネルに含まれている制御情報の構成パターンの切り替えを示す第２の制御情報を含む物理下りリンク制御チャネルを移動局装置に送信する機能を前記基地局装置に発揮させることを特徴とする。
【００２６】
（１４）本発明の基地局装置の集積回路は、前記基地局装置において、前記第２の制御情報を所定のコードポイントにセットする機能と、前記物理下りリンク制御チャネルにチャネル測定用の参照信号の送信を指示する第３の制御情報を含める機能と、を前記基地局装置に発揮させることを特徴とする。
【００２７】
（１５）本発明の基地局装置の集積回路は、前記基地局装置において、前記物理リンク下りリンク制御チャネルに前記参照信号の設定情報を含める機能を前記基地局装置に発揮させることを特徴とする。
【００２８】
このように、本発明の基地局装置の集積回路は、第１の制御情報と第２の制御情報とを所定のコードポイントにセットすることで、移動局装置に対して物理下りリンク制御チャネルに第３の制御情報が含まれていることを認識させることができる。
【００２９】
（１６）本発明の移動局装置の集積回路は、移動局装置に実装されることにより、前記移動局装置に複数の機能を発揮させる集積回路であって、物理下りリンク制御チャネルに含まれている第１の制御情報のコードポイントを検出する機能と、前記コードポイントが所定のコードポイントである場合、前記物理下りリンク制御チャネルに前記物理下りリンク制御チャネルに含まれている制御情報の構成パターンの切り替えを示す第２の制御情報が含まれていると認識する機能と、を前記移動局装置に発揮させることを特徴とする。
【００３０】
（１７）本発明の移動局装置の集積回路は、前記移動局装置において、前記第２の制御情報が所定のコードポイントである場合、前記物理下りリンク制御チャネルに前記参照信号の送信を指示する第３の制御情報が含まれていると認識する機能を前記移動局装置に発揮させることを特徴とする。
【００３１】
（１８）本発明の移動局装置の集積回路は、前記移動局装置において、前記物理下りリンク制御チャネルに前記参照信号の設定情報が含まれていると認識する機能を前記移動局装置に発揮させることを特徴とする。
【００３２】
このように、本発明の移動局装置の集積回路は、第１の制御情報と第２の制御情報とが所定のコードポイントである場合、物理下りリンク制御チャネルに第３の制御情報が含まれていると認識することができる。
【発明の効果】
【００３３】
本発明によれば、基地局装置から移動局装置に送信要求が通知された場合にのみ送信されるチャネル測定用の参照信号の送信指示情報を正確に検出し、参照信号の誤送信を低減し、チャネル測定精度を向上させることのできる移動局装置、基地局装置、無線通信システム、無線通信方法および集積回路を提供することができる。
【００３４】
また、本発明によれば、物理下りリンク制御チャネルの無線リソースを有効に活用することのできる移動局装置、基地局装置、無線通信システム、無線通信方法および集積回路を提供することができる。
【図面の簡単な説明】
【００３５】
【図１】本発明の基地局装置１の概略機能構成を示すブロック図である。
【図２】本発明の移動局装置３の概略機能構成を示すブロック図である。
【図３】本発明におけるＰＤＣＣＨに含まれる制御情報の一例を示した図である。
【発明を実施するための形態】
【００３６】
本発明の実施形態の具体的な説明に入る前に、本発明で用いられる通信技術の概要について簡単に説明する。
【００３７】
（物理チャネル）
本発明に使用される物理チャネルには、物理報知チャネル（PBCH: Physical Broadcast Channel）、物理下りリンク共用チャネル（PDSCH: Physical Downlink Shared Channel）、物理下りリンク制御チャネル（PDCCH: Physical Downlink Control Channel）、下りリンク参照信号（DL-RS: Downlink Reference Signal、またはCell-specific Reference Signal）、物理上りリンク共用チャネル（PUSCH: Physical Uplink Shared Channel）、物理上りリンク制御チャネル（PUCCH: Physical Uplink Control Channel）、物理ランダムアクセスチャネル（PRACH: Physical Random Access Channel）、上りリンク参照信号（UL-RS: Uplink Reference Signal）などが含まれる。なお、異なる物理チャネルの種類が追加されても後述する本発明の実施形態は適用できる。
【００３８】
物理報知チャネルは、セル内の移動局装置で共通に用いられる制御パラメータ（報知情報）を通知する目的で送信される。ＰＢＣＨで通知されない報知情報は、ＰＤＣＣＨでリソースが通知され、物理下りリンク共用チャネルを用いて送信される。報知情報として、セル個別のＩＤ（Identity）を示すセルグローバルＩＤなどが通知される。ＰＢＣＨは、４０ミリ秒間隔で報知チャネル（BCH: Broadcast Channel）がマッピングされる。４０ミリ秒のタイミングは、移動局装置においてブラインド検出（blind detection）される。すなわち、ＰＢＣＨのタイミング提示のために、移動局装置に対して明示的なシグナリングは送信されない。また、ＰＢＣＨを含むサブフレームは、そのサブフレームだけで復号できる（自己復号可能：self-decodable）。
【００３９】
物理下りリンク制御チャネルは、基地局装置から移動局装置へ送信される下りリンクチャネルであり、ＰＤＳＣＨのリソース割り当て、下りリンクデータ（DL-SCH: Downlink-Shared Channel、下りリンク共用チャネル）に対するハイブリッド自動再送要求（HARQ: Hybrid Automatic Repeat reQuest）情報から構成される下りリンクアサインメント（downlink assignment）、および、物理上りリンク共用チャネル（PUSCH: Physical Uplink Shared Channel）のリソース割り当て、上りリンクデータ（UL-SCH: Uplink-Shared Channel、上りリンク共用チャネル）に対するＨＡＲＱ情報である上りリンク送信許可（上りリンクグラント: uplink grant）などの下りリンク制御情報を移動局装置に通知するために使用されるチャネルである。
【００４０】
物理下りリンク制御チャネルで送信される下りリンク制御情報には複数のフォーマットが用意される。下りリンク制御情報のフォーマットをＤＣＩフォーマット（DCI format）と呼ぶ。例えば、上りリンクグラントのＤＣＩフォーマットは、移動局装置３がＰＵＳＣＨを１つの送信アンテナポートで送信する場合に用いるＤＣＩフォーマット０、移動局装置３がＰＵＳＣＨをＭＩＭＯ（Multiple Input Multiple Output）ＳＭ（Spatial Multiplexing）で送信する場合に用いるＤＣＩフォーマット０Ａなどが用意される。
【００４１】
また、下りリンクグラントのＤＣＩフォーマットは、基地局装置１がＰＤＳＣＨを１つの送信アンテナポートまたは複数の送信アンテナポートで送信ダイバーシティ方式を用いて送信する場合に用いるＤＣＩフォーマット１、およびＤＣＩフォーマットよりもビット数の少ないＤＣＩフォーマット１Ａ、およびページング情報などの無線リソース割り当てに用いられるＤＣＩフォーマット１Ａよりも更にビット数の少ないＤＣＩフォーマット１Ｃ、基地局装置がＰＤＳＣＨをＭＩＭＯ  ＳＭで送信する場合に用いるＤＣＩフォーマット２などが用意される。ＤＣＩフォーマット０とＤＣＩフォーマット１Ａは、ビット数の少ないほうにビットを挿入することで、この２つのＤＣＩフォーマットのサイズを同じにし、フォーマットを識別するためのフラグ（Flag for format 0 / format 1A differentiation）を含める。
【００４２】
具体的に、下りリンクアサインメントであるＤＣＩフォーマット１Ａは、ＰＤＣＣＨフォーマット識別（Flag for format 0 / format 1A differentiation）情報、仮想リソースブロック（VRB: Virtual Resource Block）の集中配置／分散配置識別（Localized / Distributed VRB assignment flag）情報、リソースブロック配置（Resource Block assignment）情報、変調符号化方式（MCS: Modulation and Coding Scheme）情報、ＨＡＲＱプロセス番号（HARQ process number）情報、ＮＤＩ（New Data Indicator）情報、リダンダンシーバージョン（RV: Redundancy Version）情報、ＰＵＣＣＨの送信電力制御（TPC: Transmission Power Control）コマンド情報、パリティビット（0 padding）情報、巡回冗長検査（CRC: Cyclic Redundancy Check）情報などの制御情報（フィールド、制御情報フィールド、情報フィールド、ビットフィールドと称することもある）から構成される。
【００４３】
ＰＤＣＣＨフォーマット識別情報は、この下りリンク制御情報のＤＣＩフォーマットの種類、つまりＤＣＩフォーマット０かＤＣＩフォーマット１Ａかを示す情報である。仮想リソースブロックの集中配置／分散配置識別情報は、リソースブロック配置情報で示された仮想リソースブロックを実際のリソースブロックに対応付ける方法（集中配置または分散配置）を示す情報である。リソースブロック配置情報は、ＰＤＳＣＨに割り当てた仮想リソースブロックを示す情報である。変調符号化方式情報は、ＰＤＳＣＨの変調方式および符号化率およびＰＤＳＣＨで送信する下りリンクデータの量に関する情報である。ＨＡＲＱプロセス番号（HARQ process number）情報は、ＤＣＩフォーマット１Ａが対応するＰＤＳＣＨで送信される下りリンクデータが、いずれの番号のＨＡＲＱプロセスに対応するかを示す情報である。ＮＤＩ情報は、ＰＤＳＣＨが初期送信か再送信かを示す情報である。リダンダンシーバージョン情報は、下りリンクデータが符号化されたビット系列のうち、ビット系列のどの部分が送信されているかを示す情報である。ＰＵＣＣＨの送信電力制御コマンドは、ＰＵＣＣＨの送信電力制御に用いられる情報である。パリティビット（0 padding）情報は、ＤＣＩフォーマット０とＤＣＩフォーマット１Ａのサイズを同じにするために挿入されるビットであり、値は‘０’にセットされる。
【００４４】
物理下りリンク共用チャネルは、下りリンクデータ（DL-SCH: Downlink-Shared Channel、下りリンク共用チャネル）またはページング情報を送信するために使用されるチャネルである。
【００４５】
下りリンク参照信号は、基地局装置から移動局装置へ下りリンクを利用して送信される。移動局装置は下りリンク参照信号を測定することで下りリンクの受信品質を判定する。受信品質は、品質情報指標であるＣＱＩ（Channel Quality Indicator：チャネル品質指標）としてＰＵＣＣＨまたはＰＵＳＣＨを用いて基地局装置へ通知される。基地局装置は移動局装置から通知されたＣＱＩに基づいて、移動局装置に対する下りリンク通信のスケジューリングを行う。なお、受信品質としては、ＳＩＲ（Signal-to-Interference Ratio：信号対干渉電力比）、ＳＩＮＲ（Signal-to-Interference plus Noise Ratio：信号対干渉雑音電力比）、ＳＮＲ（Signal-to-Noise Ratio：信号対雑音電力比）、ＣＩＲ（Carrier-to-Interference Ratio：搬送波対干渉電力比）、ＢＬＥＲ（Block Error Rate：ブロック誤り率）、パスロスなどを使用することができる。
【００４６】
物理上りリンク共用チャネルは、主に上りリンクデータ（UL-SCH: Uplink Shared Channel、上りリンク共用チャネル）を送信するために使用されるチャネルである。基地局装置が、移動局装置をスケジューリングした場合には、チャネル状態情報（下りリンクのチャネル品質指標（CQI: Channel Quality Indicator）、プレコーディングマトリックス指標（PMI: Precoding Matrix Indicator）、ランク指標（RI: Rank Indicator））や下りリンク送信に対するＨＡＲＱの肯定応答（ACK: Acknowledgement）／否定応答（NACK: Negative Acknowledgement）もＰＵＳＣＨを使用して送信される。ここで、上りリンクデータ（UL-SCH）とは、例えば、ユーザデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングが利用可能である。ＵＬ−ＳＣＨは、動的なリソース割り当ておよび準静的なリソース割り当てがサポートされる。
【００４７】
物理上りリンク制御チャネルは、制御データを送信するために使用されるチャネルである。ここで制御データとは、例えば、移動局装置から基地局装置へ送信（フィードバック）されるチャネル状態情報（CQI、PMI、RI）、移動局装置が、上りリンクデータを送信するためのリソースの割り当てを要求する（UL-SCHでの送信を要求する）スケジューリング要求（SR: Scheduling Request）、下りリンク送信に対するＨＡＲＱのＡＣＫ／ＮＡＣＫなどが含まれる。
【００４８】
上りリンク参照信号は、移動局装置から基地局装置へ送信される。ＵＬ−ＲＳには、サウンディング参照信号（SRS: Sounding Reference Signal）とデモジュレーション参照信号（DM-RS: Demodulation Reference Signal）とがある。チャネル測定用の参照信号であるＳＲＳは、基地局装置が測定することで、移動局装置の上りリンク無線送信信号の受信品質の判断をし、受信品質に基づく上りリンクのスケジューリングや上りリンクタイミング同期の調整に用いられる。また、ＤＭ−ＲＳは、ＰＵＳＣＨまたはＰＵＣＣＨと共に送信され、ＰＵＳＣＨまたはＰＵＣＣＨの信号の振幅、位相や周波数の変動量を計算し、ＰＵＳＣＨまたはＰＵＣＣＨを利用して送信された信号を復調するための参照信号としても使用される。ＤＭ−ＲＳの送信帯域幅は、ＰＵＳＣＨまたはＰＵＣＣＨの送信帯域幅と一致するが、ＳＲＳの送信帯域幅は、ＤＭ−ＲＳとは独立に設定される。すなわち、ＳＲＳの送信帯域幅はＰＵＳＣＨまたはＰＵＣＣＨの送信帯域幅と必ずしも一致せず、基地局装置によって予め設定される。また、ＳＲＳは、時間軸方向に対して周波数ホッピングが適用される。ＳＲＳは、周波数ホッピングを用いることで周波数ダイバーシティ効果と干渉の平均化効果が得られる。Ａ−ＳＲＳは、基地局装置が送信を要求した場合に送信されるチャネル測定用の参照信号であり、Ａ−ＳＲＳを送信するサブフレームは、基地局装置によってＰＤＣＣＨを使用して設定されても良いし、無線リソース制御信号を使用して設定されても良い。ここで、無線リソース制御信号は、１００ミリ秒から２００ミリ秒間隔で送信される。また、Ｐ−ＳＲＳは、基地局装置が予め設定した送信周期に応じて送信されるチャネル測定用の参照信号であり、Ｐ−ＳＲＳを送信するサブフレームは、基地局装置によって無線リソース制御信号を使用して設定されても良いし、報知チャネルを使用して設定されても良い。また、Ａ−ＳＲＳとＰ−ＳＲＳそれぞれの送信周期や送信帯域幅などのＳＲＳのパラメータに関する設定情報は、基地局装置で予め設定されてから無線リソース制御信号に含まれて移動局装置に送信されても良い。また、ＳＲＳを送信するサブフレーム（A-SRS、P-SRSを送信するサブフレームそれぞれ）は、セル毎に設定しても良いし、移動局装置毎に設定しても良いし、Ａ−ＳＲＳとＰ−ＳＲＳを送信するサブフレームは、同じサブフレームを使用して送信しても良いし、異なるサブフレームを使用して送信しても良い。例えば、基地局装置は、Ａ−ＳＲＳを送信するサブフレームを移動局装置毎に設定し、Ｐ−ＳＲＳを送信するサブフレームをセル毎に設定しても良い。
【００４９】
物理ランダムアクセスチャネルは、ランダムアクセスプリアンブルを送信するために使用される物理チャネルであり、ガードタイムを持つ。ＰＲＡＣＨは、移動局装置が基地局装置と同期をとることを最大の目的とし、その他に、初期アクセス、ハンドオーバ、再接続要求、およびスケジューリング要求に用いられる。
【００５０】
スケジューリング要求は、移動局装置が基地局装置に対して、ＰＵＳＣＨのリソースの割り当てを要求する情報である。移動局装置は、自装置のバッファに送信する情報データが溜まってきて、ＰＵＳＣＨのリソース割り当てを要求する場合に、ＳＲを送信する。また、移動局装置は、予め基地局装置より割り当てられたＰＵＣＣＨを用いて、ＳＲを基地局装置に送信する。なお、基地局装置は、移動局装置との通信接続開始時に、その移動局装置がＳＲを配置するための周期的なリソースを割り当てる。
【００５１】
＜実施形態＞
本発明の実施形態について以下に説明する。本実施形態では、基地局装置は、所定のコードポイントである第１の制御情報と物理下りリンク制御チャネルに含まれている制御情報の構成パターンの切り替えを示す第２の制御情報を含む物理下りリンク制御チャネルを移動局装置に送信する。移動局装置は、物理下りリンク制御チャネルに含まれている第１の制御情報が所定のコードポイントである場合、受信した物理下りリンク制御チャネルに第２の制御情報が含まれていると認識する。さらに、基地局装置が第２の制御情報に所定のコードポイントをセットし、チャネル測定用の参照信号の送信指示情報である第３の制御情報を物理下りリンク制御チャネルに含めて送信する場合もある。その場合、移動局装置は、第２の制御情報が所定のコードポイントであると判定した場合、受信した物理下りリンク制御チャネルに第３の制御情報が含まれていると認識する。
【００５２】
図１は、本発明の基地局装置１の概略機能構成を示すブロック図である。基地局装置１は、送信部１０１と、受信部１０３と、スケジューリング部１０５と、上位層１０７と、アンテナ１０９とを含んでいる。送信部１０１は、データ制御部１０１１と、変調部１０１３と、無線送信部１０１５とを含んでいる。また、受信部１０３は、無線受信部１０３１と、復調部１０３３と、データ抽出部１０３５とを含んでいる。データ制御部１０１１は、ユーザデータと制御データとを入力し、スケジューリング部１０５からの指示により、制御データをＰＤＣＣＨに配置し、移動局装置３に対する送信データや制御データをＰＤＳＣＨに配置する。変調部１０１３は、データ変調、入力信号の直列／並列変換、ＩＦＦＴ、ＣＰ挿入、フィルタリングなどの信号処理を行い、送信信号を生成する。無線送信部１０１５は、変調されたデータを無線周波数にアップコンバードした後に、アンテナ１０９を介して、移動局装置３に送信する。また、送信部１０１は、スケジューリング部１０５の指示により、第１から第３の制御情報をＰＤＣＣＨに含めて移動局装置３に送信する。
【００５３】
無線受信部１０３１は、移動局装置３からの上りリンクの信号を受信し、ベースバンド信号にダウンコンバートして、受信データを復調部１０３３に出力する。データ抽出部１０３５は、受信データの正誤を確認し、確認結果をスケジューリング部１０５に通知する。データ抽出部１０３５は、受信データが正しい場合、受信データをユーザデータと制御データに分離する。データ抽出部１０３５は、制御データの中で下りリンクのチャネル品質指示情報、下りリンクデータの成／否（ACK/NACK）などの第２層の制御データはスケジューリング部１０５に出力し、その他の第３層等の制御データとユーザデータは上位層１０７に出力する。データ抽出部１０３５は、受信データが誤りの場合、再送データと合成するために保存しておき、再送データを受信した時に合成処理を行う。
【００５４】
スケジューリング部１０５は、ユーザデータや制御データをＰＤＳＣＨやＰＤＣＣＨに配置するためのスケジューリングを行う。また、スケジューリング部１０５は、上位層１０７からの指示により第１から第３の制御情報をＰＤＣＣＨに含めて送信するように送信部１０１に指示を出す。
【００５５】
上位層１０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層１０７は、下位層の処理部を統合して制御するため、上位層１０７と、スケジューリング部１０５、アンテナ１０９、送信部１０１、受信部１０３との間のインターフェースが存在する（ただし、図示しない）。
【００５６】
上位層１０７は、無線リソース制御部１０７１（制御部とも言う。）を有している。また、無線リソース制御部１０７１は、各種設定情報の管理、システム情報の管理、ページング制御、各移動局装置の通信状態の管理、ハンドオーバなどの移動管理、移動局装置毎のバッファ状況の管理、ユニキャストおよびマルチキャストベアラの接続設定の管理、移動局識別子（UEID、またはRNTI（Radio Network Temporary Identifier）とも称する。）の管理などを行っている。また、上位層１０７は、別の基地局装置への情報および上位ノードへの情報の授受を行う。また、上位層１０７は、ＳＲＳの送信帯域幅などのパラメータをＳＲＳ設定情報として設定および管理を行い、移動局装置３にＳＲＳ設定情報を無線リソース制御信号に含めて送信するようにスケジューリング部１０５に指示する。さらに、通信状況に応じて、第１から第３の制御情報のコードポイントを設定し、ＰＤＣＣＨに含めて送信するようにスケジューリング部１０５に指示する。
【００５７】
図２は、本発明の移動局装置３の概略機能構成を示すブロック図である。移動局装置３は、送信部２０１と、受信部２０３と、スケジューリング部２０５と、参照信号生成部２０６と、上位層２０７と、タイマー制御部２０８と、アンテナ２０９とを含んでいる。送信部２０１は、データ制御部２０１１と、変調部２０１３と、無線送信部２０１５とを含んでいる。また、受信部２０３は、無線受信部２０３１と、復調部２０３３と、データ抽出部２０３５とを含んでいる。
【００５８】
ユーザデータと制御データは、上位層２０７からデータ制御部２０１１に入力される。データ制御部２０１１は、入力されたデータをスケジューリング部２０５からの指示により、ＰＵＳＣＨやＰＵＣＣＨに配置する。変調部２０１３は、ＰＵＳＣＨやＰＵＣＣＨのデータ変調を行い、無線送信部２０１５に出力する。無線送信部２０１５は、変調されたデータと上りリンク参照信号を離散フーリエ変換（DFT: Discrete Fourier Transform）、サブキャリアマッピング、逆高速フーリエ変換（IFFT: Inverse Fast Fourier Transform）、ＣＰ（Cyclic Prefix）挿入、フィルタリングなどの信号処理を行い、送信信号を生成し、無線周波数にアップコンバートした後に、アンテナ２０９を介して、基地局装置１に送信する。
【００５９】
無線受信部２０３１は、基地局装置１からの下りリンク信号を受信し、ベースバンド信号にダウンコンバートして、受信信号を復調部２０３３に出力する。復調部２０３３は、受信データを復調する。データ抽出部２０３５は、受信データをユーザデータと制御データに分離する。また、データ抽出部２０３５は、スケジューリング情報、ランダムアクセス応答メッセージや間欠受信制御に関する制御データやその他の第２層の制御データはスケジューリング部２０５に出力し、ユーザデータを上位層２０７に出力する。また、データ抽出部２０３５は、ＰＤＣＣＨに含まれている制御情報のコードポイントを検出し、上位層２０７に出力する。
【００６０】
スケジューリング部２０５は、データ抽出部２０３５から入力された制御データを解析し、上りリンクのスケジューリング情報を生成し、そのスケジューリング情報を基に、ユーザデータや制御データをＰＵＳＣＨやＰＵＣＣＨに割り当てることをデータ制御部２０１１に指示する。
【００６１】
また、スケジューリング部２０５は、参照信号制御部２０５１を含んでいる。参照信号制御部２０５１は、基地局装置１から送信されたスケジューリング情報を基に、ＳＲＳ設定情報を取り出す。また、ＳＲＳとＰＵＳＣＨやＰＵＣＣＨが同じタイミングで生じた場合の送信制御を行い、ＳＲＳ送信制御情報を生成する。参照信号制御部２０５１は、ＳＲＳ設定情報とＳＲＳ送信制御情報を参照信号生成部２０６に出力する。ここで、ＳＲＳ設定情報とは、ＳＲＳの送信帯域幅や送信周期などのパラメータを設定するための情報である。ＳＲＳ送信制御情報とは、ＳＲＳと他の上りリンクチャネル（PUSCH、PUCCH）が同じサブフレームに割り当てられた時のＳＲＳの送信制御方法を示した情報である。例えば、ＳＲＳとＰＵＣＣＨが同じサブフレームで生じた場合、ＳＲＳを送信しないという処理を移動局装置３が行うように指示するための情報である。
【００６２】
参照信号生成部２０６は、参照信号制御部２０５１から入力されたＳＲＳ設定情報およびＳＲＳ送信制御情報を基に、ＳＲＳを生成し、無線送信部２０１５に出力する。
【００６３】
上位層２０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層２０７は、下位層の処理部を統合して制御するため、上位層２０７と、スケジューリング部２０５、タイマー制御部２０８、アンテナ２０９、送信部２０１、受信部２０３との間のインターフェースが存在する（ただし、図示しない）。
【００６４】
上位層２０７は、無線リソース制御部２０７１（制御部とも言う）を有している。無線リソース制御部２０７１は、各種設定情報の管理、システム情報の管理、ページング制御、自局の通信状態の管理、ハンドオーバなどの移動管理、バッファ状況の管理、ユニキャストおよびマルチキャストベアラの接続設定の管理、移動局識別子（UEID）の管理を行う。また、上位層２０７は、基地局装置１から送信された無線リソース制御信号からＳＲＳ設定情報を取り出し、ＳＲＳのパラメータを設定する。
【００６５】
上位層２０７は、データ抽出部２０３５より抽出したＰＤＣＣＨの制御情報のコードポイントからどのような制御情報が割り当てられているかを判定する。上位層２０７は、第１の制御情報が所定のコードポイントである場合、ＰＤＣＣＨに第２の制御情報が含まれていると認識し、ＰＤＣＣＨに含まれている制御情報の構成パターンの切り替えを示す第２の制御情報のコードポイントから受信したＰＤＣＣＨに含まれている制御情報の種類を判定することができる。ここで、第２の制御情報のコードポイントによって示されるＰＤＣＣＨに含まれる制御情報の種類は、予めシステムで一意に決定されていても良いし、報知情報として基地局装置１から移動局装置３に一斉に通知されても良いし、基地局装置１から個別の移動局装置３へ通知されても良い。すなわち、第２の制御情報によって示されるＰＤＣＣＨに含まれる制御情報の種類は、第２の制御情報のコードポイントと関連付けて制御情報の構成パターンをテーブル管理しても良い。
【００６６】
タイマー制御部２０８は、基地局装置１と移動局装置３との間の送信タイミングを調整するために使用されたり、信号送信からその信号に対する応答までの時間を計時したり、計時する信号によって異なるタイマーを使用して、目的に応じた時間（送信時間や同期時間など）を計時したりする。特に、本発明においては、参照信号制御部２０５１から入力されるＳＲＳ設定情報を基に、ＳＲＳを送信する時間を計時するための送信タイマーを設定し、無線送信部２０１５よりＳＲＳが送信されることで、送信タイマーが起動するように制御する。また、送信タイマーが満了時間に達した場合、送信タイマーは停止し、満了時間に達したことを上位層２０７に通知する。上位層２０７は、その通知を受けて、参照信号制御部２０５１にＳＲＳの送信を停止するように指示する。参照信号制御部２０５１は、その指示を受けて、ＳＲＳの送信を停止する。また、ＳＲＳ送信用の送信タイマーを起動するタイミングは、基地局装置１からＳＲＳの送信を指示する情報が含まれているＰＤＣＣＨを受信した直後からでも良い。
【００６７】
移動局装置３は、基地局装置１から送信されたＰＤＣＣＨに含まれている第１の制御情報に所定のコードポイントが含まれている場合（第１の制御情報が所定の値にセットされている場合）、ＰＤＣＣＨに含まれている制御情報の構成パターンの切り替えを示す第２の制御情報（OTI: Order type indicator）がＰＤＣＣＨに含まれていると認識する。そして、移動局装置３は、第２の制御情報から所定のコードポイントを検出した時（第２の制御情報が所定の値にセットされていることを検出した時）、ＰＤＣＣＨにＳＲＳ送信指示情報が含まれていると認識する。また、ＳＲＳ送信指示情報以外にＰＤＣＣＨに含まれるＳＲＳ設定情報としては、ＳＲＳの送信帯域幅、ＳＲＳの送信間隔を示す送信周期、移動局装置または信号間の直交性を維持するために使用されるサイクリックシフト、ＳＲＳを配置する周波数位置を示す周波数割り当て位置、ＳＲＳが周波数ホッピングを行うか否かを判定し、ＳＲＳの周波数ホッピングを行う帯域幅を設定するホッピング帯域幅、ＳＲＳ送信を満了するための送信回数または送信停止時間、ＳＲＳを送信するアンテナポート（アンテナインデックス）、ＭＩＭＯ（Multiple Input Multiple Output）通信のように複数のアンテナを同時に使用してＳＲＳ送信を行うか否かを示す複数アンテナ同時送信フラグ、ＳＲＳの送信電力制御情報などが含まれている。さらに、その他の制御情報として、ＳＲＳと他のチャネル（PUSCH、PUCCH）の同時送信制御も含まれている。ここで、ＰＤＣＣＨに含まれるＳＲＳ設定情報は、予めシステムで一意に決定されていても良いし、報知情報として基地局装置１から移動局装置３に一斉に通知されても良いし、基地局装置１から個別の移動局装置３へ通知されても良い。また、前述したＳＲＳ設定情報がすべてＰＤＣＣＨに含まれる必要はなく、ＰＤＣＣＨに割り当て可能な情報量（ビット数）に応じて、ＰＤＣＣＨに含まれるＳＲＳ設定情報を決定しても良い。また、ＳＲＳ設定情報の一部は、無線リソース信号に含まれて基地局装置１から移動局装置３に送信されても良い。ここで、第１の制御情報が仮想リソースブロックの集中配置／分散配置識別情報とリソースブロック割り当て情報とで構成される場合の所定のコードポイントとは、例えば、仮想リソースブロックの集中配置／分散配置識別情報が１ビットで示され、リソースブロック割り当て情報が５ビットで示される場合、その１ビットが‘０’を示し、その５ビットがすべて‘１’を示した場合のコードポイントのことである。移動局装置３は、このコードポイントを検出した場合にのみ、ＰＤＣＣＨに含まれる制御情報の構成パターンの切り替えを指示する第２の制御情報がＰＤＣＣＨに含まれていると認識し、第２の制御情報に設定されたコードポイント（インデックス）によってＰＤＣＣＨにＳＲＳの送信指示情報やＳＲＳ設定情報が含まれていると認識する。移動局装置３は、受信したＳＲＳ送信指示情報に従って、基地局装置１にＳＲＳの送信を開始／停止する。また、第２の制御情報が３ビットで示される場合、８種類の制御情報の構成パターンが定義されていることを示している。
【００６８】
図３は、本発明におけるＰＤＣＣＨに含まれる制御情報の一例を示した図である。同図（ａ）に記載のＰＤＣＣＨに含まれる下りリンクアサインメントは、ＰＤＣＣＨの制御情報のフォーマットの種類を識別するための情報（Flag for format 0 / format 1A differentiation）、仮想リソースブロックの集中／分散配置を識別する情報、リソースブロック配置情報、ＭＣＳ情報、ＨＡＲＱプロセス番号（HARQ process number）情報、ＮＤＩ（New Data Indicator）情報、リダンダンシーバージョン情報、ＰＵＣＣＨのＴＰＣコマンド情報、ＣＲＣ情報から構成されていることを示している。同図（ｂ）は、例えば、仮想リソースブロックの集中／分散配置を識別する情報、リソースブロック配置情報が所定のコードポイントの時、すなわち、第１の制御情報が仮想リソースブロックの集中／分散配置を識別する情報とリソースブロック配置情報とで構成される場合、リダンダンシーバージョン情報の最下位の１ビット（Least Significant Bit: LSB）がＰＤＣＣＨに含まれている制御情報の構成パターンの切り替えを示す第２の制御情報（OTI）である、つまり第２制御情報がＰＤＣＣＨに含まれていると認識する。第２の制御情報が‘０’である場合、移動局装置３は、ＰＤＣＣＨに含まれるＭＣＳ情報、ＨＡＲＱプロセス番号情報、ＮＤＩ情報、リダンダンシーバージョン情報の最上位の１ビット（Most Significant Bit: MSB）がＰＲＡＣＨの制御情報（Preamble IndexとPRACH mask index）として認識する。また、リダンダンシーバージョン情報の最下位の１ビットとＴＰＣコマンド情報とで第２の制御情報を構成しても良い。同図（ｃ）は、第１の制御情報が同図（ｂ）と同じ情報で構成される場合、第１の制御情報が同図（ｂ）と同じ所定のコードポイントである時、第２の制御情報が‘１’である場合は、移動局装置３は、ＰＤＣＣＨに含まれる制御情報の構成パターンが切り替わり、ＰＲＡＣＨの制御情報が割り当てられたフィールドに第３の制御情報（ＳＲＳ送信指示情報）およびＳＲＳ設定情報（SRS configurations）が割り当てられていると認識する。第２の制御情報を導入することで第２の制御情報のコードポイントによってＰＤＣＣＨに含まれる制御情報の構成パターンを切り替えることができ、１つのＰＤＣＣＨに複数の異なる制御情報を割り当てることができるため、無線リソースを有効に利用することができる。すなわち、移動局装置は、第２の制御情報のコードポイントによって、受信したＰＤＣＣＨにＰＲＡＣＨの制御情報かＳＲＳの設定情報が含まれているかを判定することができる。ここで、第１の制御情報は、仮想リソースブロックの集中／分散配置を識別する情報とリソースブロック配置情報とで構成されているが、異なる制御情報で構成されても良い。また、第１の制御情報を構成する制御情報は、予めシステムで一意に決定されていても良いし、報知情報として基地局装置１から移動局装置３に一斉に通知されても良いし、基地局装置１から個別の移動局装置３へ通知されても良い。
【００６９】
このように、本実施形態では、移動局装置３は、ＰＤＣＣＨの第１の制御情報から所定のコードポイントを検出することにより、ＰＤＣＣＨに含まれている制御情報の構成パターンを切り替え、第２の制御情報のコードポイントを検出することによりＳＲＳの送信指示情報がＰＤＣＣＨに含まれているか否かをより確実に認識することができる。
【００７０】
本発明によれば、ＰＤＣＣＨに含まれる第１の制御情報が所定のコードポイント（例えば、５ビットの系列）である場合に、第２の制御情報がＰＤＣＣＨに含まれていることを認識でき、さらに、第２の制御情報が所定のコードポイントである時、第３の制御情報であるＳＲＳ送信指示情報を認識することができるためＳＲＳ送信指示情報の誤検出をなくすことができ、ＳＲＳの誤送信による他の移動局装置から送信されるＳＲＳへの干渉を低減できるため、基地局装置１はチャネル測定精度を向上させることができ、効率的な通信を行うことができる。
【００７１】
なお、上述した実施形態における基地局装置１と移動局装置３の一部の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７２】
また、上述した実施形態における移動局装置３および基地局装置１の一部、または全部を典型的には集積回路であるＬＳＩ（Large Scale Integration）として実現しても良い。移動局装置３および基地局装置１の各機能ブロックは個別にチップ化しても良いし、一部、または全部を集積してチップ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００７３】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【００７４】
１  基地局装置
３  移動局装置
１０１  送信部（基地局側送信部）
１０３  受信部（基地局側受信部）
１０５  スケジューリング部
１０７  上位層
１０９  アンテナ
２０１  送信部（移動局側送信部）
２０３  受信部（移動局側受信部）
２０５  スケジューリング部
２０６  参照信号生成部
２０７  上位層
２０８  タイマー制御部
２０９  アンテナ
１０１１  データ制御部
１０１３  変調部
１０１５  無線送信部
１０３１  無線受信部
１０３３  復調部
１０３５  データ抽出部
１０７１  無線リソース制御部
２０１１  データ制御部
２０１３  変調部
２０１５  無線送信部
２０３１  無線受信部
２０３３  復調部
２０３５  データ抽出部
２０５１  参照信号制御部
２０７１  無線リソース制御部
【図１】
2011211323.tif 000003
【図２】
2011211323.tif 000004
【図３】
2011211323.tif 000005